(57)【要約】  本発明は、インダクタンスの低減化を図った外部接続用のフレームを有する半導体装置の構造を提供することを目的とする。そして、半導体装置におけるネジ（４）は、ヘッド部（４２）がケース（２）のフレーム載置台（２ｔ）に設けられたケース溝部（Ｇ２）内に埋め込まれ、ケース（２）によってヘッド部（４２）の側面及び表面が被覆される結果、ネジ４がケース２に固定される。ネジ部（４１）はヘッド部（４２）の上方に配置されるフレーム露出部（３１）のフレーム貫通孔（３２）を貫通し、ベース板（１）と反対側の上方に向けて突出して露出する態様で設けられる。
2019087327.tif 000002
【特許請求の範囲】
【請求項１】
ベース板（１）と、
前記ベース板上に設けられる絶縁基板（１０）と、
前記絶縁基板上に設けられる回路パターン（１１）と、
前記回路パターン上に設けられる半導体素子（５）と、
前記半導体素子上に設けられ、前記半導体素子に電気的に接続されるフレーム（３）と、
収容領域（Ｒ２）内における前記絶縁基板、前記回路パターン、前記半導体素子、及び前記フレームを取り囲んで前記ベース板上に設けられ、絶縁性を有するケース（２，２Ｂ）とを備え、
前記フレームは、前記収容領域内に設けられるフレーム本体部（３０）と、前記フレーム本体部から前記収容領域外に延在して前記ケース上に露出した状態で設けられるフレーム露出部（３１）とを含み、前記フレーム露出部はフレーム貫通孔（３２）を有し、
ヘッド部（４２）が前記ケースによって被覆され、ネジ部（４１）が前記フレーム露出部の前記フレーム貫通孔を貫通し、前記ベース板と反対側に向けて突出する態様で設けられるネジ（４）をさらに備えることを特徴する、
半導体装置。
【請求項２】
請求項１記載の半導体装置であって、
前記ネジにおいて、
前記ヘッド部は平面視して前記フレーム露出部に完全重複し、
前記ヘッド部は平面視して長方形を呈し、前記フレーム露出部の前記フレーム本体部からの延在方向であるフレーム長方向が短辺となり、前記フレーム長方向と直交するフレーム幅方向が長辺となる、
半導体装置。
【請求項３】
請求項１または請求項２記載の半導体装置であって、
前記ネジの前記ヘッド部は、前記ヘッド部と前記ベース板との間に前記ケースの一部が存在する態様で、前記ケース内に埋め込まれる、
半導体装置。
【請求項４】
請求項１または請求項２記載の半導体装置であって、
前記収容領域における前記絶縁基板、前記回路パターン、前記半導体素子、及び前記フレームを被覆する収容領域被覆部（７）をさらに備え、
前記ネジの前記ヘッド部は表面が露出する態様で前記ケースによって被覆され、
前記ネジの前記ヘッド部の表面は前記収容領域被覆部によって被覆される、
半導体装置。
【請求項５】
ベース板（１）と、
前記ベース板上に設けられる絶縁基板（１０）と、
前記絶縁基板上に設けられる第１及び第２の回路パターン（１１，１２）と、
前記第１の回路パターン上に設けられる半導体素子（５）と、
前記半導体素子及び前記第２の回路パターン上に設けられ、前記半導体素子及び前記第２の回路パターンに電気的に接続されるフレーム（３Ｃ）と、
収容領域（Ｒ２Ｃ）内における前記絶縁基板、前記第１及び第２の回路パターン、前記半導体素子、並びに前記フレームを取り囲んで前記ベース板上に設けられるケース（２Ｃ）とを備え、
前記フレームは、前記収容領域内に設けられるフレーム本体部（３０）と、前記フレーム本体部から前記収容領域外に延在して前記ケース上に露出した状態で設けられるフレーム露出部（３１）と、前記フレーム露出部からさらに延在し、先端部分が屈曲されて前記フレーム露出部の延在方向と反対方向に延びるフレーム曲げ部（３３）とを含み、前記フレーム露出部はフレーム貫通孔（３２）を有し、前記フレーム曲げ部が前記第２の回路パターンと接続され、
ヘッド部（４２）が前記ケースによって被覆され、ネジ部（４１）が前記フレーム貫通孔を貫通し、前記ベース板と反対側に向けて突出する態様で設けられるネジ（４）をさらに備え、前記ネジは前記ヘッド部の表面の下方から前記フレーム曲げ部によって支持されることを特徴とする、
半導体装置。
【請求項６】
請求項１から請求項５のうち、いずれか１項に記載の半導体装置であって、
前記半導体素子は炭素を主とする化合物を主要構成材料としていることを特徴とする、
半導体装置。
【請求項７】
請求項４記載の半導体装置の製造方法であって、
(a) 前記ベース板上において、前記絶縁基板、前記回路パターン及び前記半導体素子を一体化して基本構造を得るステップと、
(b) 前記フレームと前記ケースとを一体化するステップと、
(c) 前記フレーム貫通孔に前記ネジ部を挿入し、表面を露出させる態様で前記ヘッド部を前記ケースに設けたケース貫通部（Ｋ２）に収容した後、ナット（１４）で前記ネジ部を締結することにより、前記ケースと前記ネジとを仮固定するステップと、
(d) 前記ケースを前記ベース板上に固定し、前記ケースによって前記収容領域内の前記基本構造と前記フレームの前記フレーム本体部とを取り囲むステップと、
(e) 前記半導体素子と前記フレームとを電気的に接続するステップと、
(f) 封止材によって前記ケースの収容領域内における前記基本構造及び前記フレーム本体部を被覆する前記収容領域被覆部を形成するステップとを備え、前記収容領域被覆部は前記ヘッド部の露出した表面をさらに被覆し、
(g) 前記ナットを前記ネジ部から取り外すステップをさらに備える、
半導体装置の製造方法。
【請求項８】
動力用モータ（２１）と、
前記動力用モータ用の電源（２２）とを備え、
前記電源はインバータ回路装置（２３）を内部に有し、前記インバータ回路装置は請求項１から請求項６のうち、いずれか１項記載の半導体装置を含む、
自動車。
【発明の詳細な説明】
【技術分野】
【０００１】
この発明は、ＩＧＢＴやＭＯＳＦＥＴ、ダイオードなどの電力用半導体装置に採用され、半導体チップ表面を外部リード用のフレームで接続し電流を取り出す半導体装置及びその製造方法並びに上記半導体装置を構成要素として含む自動車に関する。
【背景技術】
【０００２】
ＩＧＢＴ（Insulated Gate Bipolar Transistor）やＭＯＳＦＥＴ、ダイオードなどの電力用半導体装置を構成する際、半導体チップの表面を外部リード用のフレームで接続し、外部に電流を取り出す半導体装置である、外部接続用フレーム付き半導体装置が採用される場合がある。【０００３】
上述した外部接続用フレーム付き半導体装置において、パッケージ配線インダクタンスを低減することが望まれている。特に、インダクタンスの影響で発振し易いＳｉＣを構成材料とした半導体素子を内部に有する外部接続用フレーム付き半導体装置において、パッケージ配線インダクタンスを低減させ、高周波動作における電圧発振を改善することが望まれている。【０００４】
外部接続用フレーム付き半導体装置として、ナットをケース内の端子台に内包し、フレームの一部でケース外に露出したフレーム露出部によってナットに蓋をする構成が、例えば、特許文献１に開示されている。
【先行技術文献】
【特許文献】
【０００５】
【特許文献１】国際公開第２０１５／４６４１６号（図７〜図９）
【発明の概要】
【発明が解決しようとする課題】
【０００６】
特許文献１で開示の技術は、ネジを上方、ナットを下方に配置したネジ及びナットによるネジ止め処理により、外部接続用フレーム付き半導体装置のフレームと外部端子とを接続しているが、ネジとナットとの摩擦力および軸力を稼ぐために、ナットは厚みを薄くすることが難しい。特に、自動車用途の半導体装置においては、耐振動性が求められるため、締付けトルクを下げることが難しい。さらには、ケースに内包された端子台のネジ部収容空間において下方に延在するネジ部の呼びを確保した上で、ベース板との絶縁を取るための空間を設ける必要があるため、ナットはベース板からさらに離して形成する必要があった。【０００７】
特許文献１で開示したような外部接続用フレーム付き半導体装置では、ナットを厚く形成し、さらに、ネジ部の呼びの分の絶縁を確保しながらベース板から離してネジ及びナットを配置するため、ナット上に配置される外部端子接続用のフレームのフレーム露出部は必然的にベース板から遠ざけて配置されることになる。【０００８】
このため、フレームの形成長、すなわち、配線長が長くなりインダクタンスが増える、ベース板に発生する渦電流によるインダクタンスの低減効果が薄くなる等の背反現象が生じるため、従来の外部接続用フレーム付き半導体装置のインダクタンスが大きくなってしまう問題点があった。【０００９】
本発明では、上記のような問題点を解決し、インダクタンスの低減化を図った外部接続用フレーム付きの半導体装置を提供することを目的とする。
【課題を解決するための手段】
【００１０】
この発明に係る第１の態様の半導体装置は、ベース板と、前記ベース板上に設けられる絶縁基板と、前記絶縁基板上に設けられる回路パターンと、前記回路パターン上に設けられる半導体素子と、前記半導体素子上に設けられ、前記半導体素子に電気的に接続されるフレームと、収容領域内における前記絶縁基板、前記回路パターン、前記半導体素子、及び前記フレームを取り囲んで前記ベース板上に設けられ、絶縁性を有するケースとを備え、前記フレームは、前記収容領域内に設けられるフレーム本体部と、前記フレーム本体部から前記収容領域外に延在して前記ケース上に露出した状態で設けられるフレーム露出部とを含み、前記フレーム露出部はフレーム貫通孔を有し、ヘッド部が前記ケースによって被覆され、ネジ部が前記フレーム貫通孔の前記フレーム貫通孔を貫通し、前記ベース板と反対側に向けて突出する態様で設けられるネジをさらに備えることを特徴する。【００１１】
この発明に係る第２の態様の半導体装置は、ベース板と、前記ベース板上に設けられる絶縁基板と、前記絶縁基板上に設けられる第１及び第２の回路パターンと、前記第１の回路パターン上に設けられる半導体素子と、前記半導体素子及び前記第２の回路パターン上に設けられ、前記半導体素子及び前記第２の回路パターンに電気的に接続されるフレームと、収容領域内における前記絶縁基板、前記第１及び第２の回路パターン、前記半導体素子、並びに前記フレームを取り囲んで前記ベース板上に設けられるケースとを備え、前記フレームは、前記収容領域内に設けられるフレーム本体部と、前記フレーム本体部から前記収容領域外に延在して前記ケース上に露出した状態で設けられるフレーム露出部と、前記フレーム露出部からさらに延在し、先端部分が屈曲されて前記フレーム露出部の延在方向と反対方向に延びるフレーム曲げ部とを含み、前記フレーム露出部はフレーム貫通孔を有し、前記フレーム曲げ部が前記第２の回路パターンと接続され、ヘッド部が前記ケースによって被覆され、ネジ部が前記フレーム貫通孔を貫通し、前記ベース板と反対側に向けて突出する態様で設けられるネジをさらに備え、前記ネジは前記ヘッド部の表面の下方から前記フレーム曲げ部によって支持されることを特徴とする。
【発明の効果】
【００１２】
この発明における第１の態様の半導体装置におけるネジは、ネジ部がフレーム貫通孔を貫通し、ベース板と反対側に向けて突出する態様で設けられているため、ネジ部に外部端子の貫通孔を貫通させた後、ナットで締め付けるネジ止め処理により、ケース外において外部端子とフレームとの電気的接続を図ることができる。【００１３】
この際、ネジに関し、ベース板とフレームのフレーム露出部との間に介在されるのは、ネジのヘッド部のみに抑えることができる分、フレームの形成長、すなわち、半導体装置の配線長を短くすることができるため、半導体装置のインダクタンスを最小限に抑えることができる効果を奏する。【００１４】
この発明における第２の態様の半導体装置におけるネジは、ネジ部がフレーム貫通孔を貫通し、ベース板と反対側に向けて突出する態様で設けられているため、ネジ部に外部端子の貫通孔を貫通させた後、ナットで締め付けてネジ止めすることにより、ケース外において外部端子とフレームとの電気的接続を図ることができる。【００１５】
この際、ネジ及びフレームに関し、ベース板とフレームのフレーム露出部３１との間に介在されるのは、ネジのヘッド部とフレーム曲げ部のみに抑えることができるため、フレームの形成長、すなわち、半導体装置の配線長を短くすることができる。その結果、半導体装置のインダクタンスを最小限に抑えることができる効果を奏する。【００１６】
加えて、ネジはヘッド部の表面の下方に設けられるフレーム曲げ部によって支持されるため、ネジの仮固定用のナットを用いない比較的簡易な方法でケースにネジに取り付けることができる。【００１７】
さらに、フレーム曲げ部が第２の回路パターンに接続されることにより、フレームで発生した熱を第２の回路パターン及び絶縁基板を介してベース板に放熱することができるため、半導体装置の高電流密度化及び高耐熱化を図ることができる。【００１８】
この発明の目的、特徴、局面、および利点は、以下の詳細な説明と添付図面とによって、より明白となる。
【図面の簡単な説明】
【００１９】
【図１】この発明の実施の形態１である半導体装置の断面構造を模式的に示す断面図である。
【図２】実施の形態１の半導体装置の平面構造を模式的に示す平面図である。
【図３】この発明の実施の形態２である半導体装置の断面構造を模式的に示す断面図である。
【図４】実施の形態２の半導体装置の製造方法を示す断面図である。
【図５】実施の形態２の半導体装置の製造方法を示す断面図である。
【図６】実施の形態２の半導体装置の製造方法を示す断面図である。
【図７】実施の形態２の半導体装置の製造方法を示す断面図である。
【図８】実施の形態２の半導体装置の製造方法を示す断面図である。
【図９】この発明の実施の形態３である半導体装置の断面構造を模式的に示す断面図である。
【図１０】実施の形態３の半導体装置の製造方法を示す断面図である。
【図１１】実施の形態３の半導体装置の製造方法を示す断面図である。
【図１２】実施の形態３の半導体装置の製造方法を示す断面図である。
【図１３】実施の形態１〜実施の形態３の半導体装置を用いた自動車の応用例を模式的に示す説明図である。
【発明を実施するための形態】
【００２０】
＜実施の形態１＞
（構成）
図１は、この発明の実施の形態１である半導体装置の断面構造を模式的に示す断面図である。図２は実施の形態１の半導体装置の平面構造を模式的に示す平面図であり、図２のＡ−Ａ断面が図１となる。図１及び図２にはそれぞれＸＹＺ直交座標系が示されている。なお、図２において、説明の都合上、後述する樹脂被覆部７の図示を省略している。
【００２１】
これらの図に示すように、ベース板１上に絶縁基板１０が設けられ、絶縁基板１０上に回路パターンである配線パターン１１が設けられる。
【００２２】
配線パターン１１上に２つの半導体素子５が互いに独立して設けられ、２つの半導体素子５はそれぞれはんだ６１によって配線パターン１１に接合される結果、２つの半導体素子５と配線パターン１１とは電気的に接続される。
【００２３】
そして、２つの半導体素子５上に外部リード用のフレーム３が設けられ、２つの半導体素子５はそれぞれはんだ６２によってフレーム３のフレーム本体部３０に接合される結果、フレーム３と２つの半導体素子５とは互いに電気的に接続される。
【００２４】
樹脂性のケース２は、収容領域Ｒ２を取り囲むようにベース板１上に設けられる。この収容領域Ｒ２内に絶縁基板１０、配線パターン１１、２つの半導体素子５、フレーム３のフレーム本体部３０を含む半導体装置の基本構造が収容される。
【００２５】
収容領域Ｒ２内において、絶縁基板１０、配線パターン１１、２つの半導体素子５、はんだ６１、６２、及びフレーム３のフレーム本体部３０を樹脂等の封止材により被覆して樹脂被覆部７が設けられる。このように樹脂被覆部７は収容領域Ｒ２内の上記基本構造を封止材によって被覆する収容領域被覆部として機能する。
【００２６】
フレーム３は収容領域Ｒ２内に設けられる上述したフレーム本体部３０と、フレーム本体部３０から収容領域Ｒ２外に＋Ｘ方向に沿って延在してケース２外のフレーム載置台２ｔ上に露出した状態で設けられるフレーム露出部３１とを含み、このフレーム露出部３１はフレーム貫通孔３２を有している。
【００２７】
さらに、収容領域Ｒ２外のケース２のフレーム載置台２ｔに、上方に位置するネジ部４１及び下方に位置するヘッド部４２を有するネジ４が設けられる。ネジ４は、ヘッド部４２がケース２のフレーム載置台２ｔに設けられたケース溝部Ｇ２内に埋め込まれ、ケース２によってヘッド部４２の側面及び下方（−Ｚ方向）の表面が被覆される結果、ネジ４がケース２に固定される。
【００２８】
一方、ネジ部４１はフレーム載置台２ｔによって被覆されることなく露出している。すなわち、ネジ部４１はヘッド部４２の上方に配置されるフレーム露出部３１のフレーム貫通孔３２を貫通し、ベース板１と反対側の上方（＋Ｚ方向）に向けて突出して露出する態様で設けられる。
【００２９】
さらに、ネジ４のヘッド部４２は、ヘッド部４２とベース板１との間にケース２の一部が存在する態様で、ケース２のフレーム載置台２ｔのケース溝部Ｇ２内に埋め込まれる。すなわち、ケース２のフレーム載置台２ｔにヘッド部４２が内包される形で、ネジ４がケース２に固定されている。
【００３０】
ケース２は、例えばＰＰＳ樹脂からなり絶縁性を有し、フレーム３は銅からなり導電性を有する。回路パターンである配線パターン１１は、例えば銅やアルミからなり導電性を有し、アルミを用いる場合には表面をニッケル等でめっきすることで、半導体素子５とのはんだ６２によるはんだ接合性を確保している。
【００３１】
ベース板１は、例えば銅やアルミからなり導電性を有し、絶縁基板１０はアルミナや窒化ケイ素、窒化アルミなどからなり絶縁性を有している。
【００３２】
図２に示すように、ネジ４において、ヘッド部４２はＸＹ平面で平面視してフレーム露出部３１に完全重複し。ネジ部４１はＸＹ平面で平面視してフレーム貫通孔３２に合致している。
【００３３】
そして、ヘッド部４２は平面視して長方形状を呈し、フレーム露出部３１のフレーム本体部３０から延在方向であるフレーム長方向（Ｘ方向）が短辺となり、上記フレーム長方向と直交するフレーム幅方向（Ｙ方向）が長辺となるように配置される。このように、フレーム露出部３１は平面視して長方形のヘッド部４２を全て覆うようにケース２のフレーム載置台２ｔ上に設けられる。なお、図２に示すように、ヘッド部４２の角部に丸みを設けても良い。
【００３４】
図２に示すように、ケース２は平面視して長方形状を呈しており、ケース２の長辺方向がフレーム露出部３１の上記フレーム長方向であるＸ方向に一致し、ケース２の短辺方向がフレーム露出部３１の上記フレーム幅方向であるＹ方向に一致するように、フレーム露出部３１がケース２のフレーム載置台２ｔ上に設けられる。
【００３５】
（製造方法）
以下、図１及び図２を参照して、実施の形態１の半導体装置の製造方法について説明する。
【００３６】
まず、ベース板１上において、絶縁基板１０、配線パターン１１及び２つの半導体素子５を一体化して基本構造を得る準備工程を実行する。なお、準備工程において、２つの半導体素子５と配線パターン１１とがはんだ６１を介して接合される。
【００３７】
次に、図示しない金型にフレーム３及びネジ４を固定し、ケース形成用の樹脂を上記金型に注入することにより、ヘッド部４２の周囲が樹脂で覆われるように、フレーム３及びネジ４と一体形成したケース２の製造工程を実行する。なお、上記準備工程とケース２の製造工程の製造順序は逆でも良い。
【００３８】
その後、ケース２のベース板１への固定工程を実行し、さらに、半導体素子５とフレーム３とのはんだ６２による接合工程を実行する。
【００３９】
ベース板１に固定後のケース２は、絶縁基板１０、配線パターン１１、及び２つの半導体素子からなる上記基本構造とフレーム３のフレーム本体部３０とを収容している収容領域Ｒ２を取り囲む。
【００４０】
半導体素子５は、例えば、炭素を主とした化合物であるシリコンカーバイト（ＳｉＣ）を主要構成材料として、ＭＯＳＦＥＴやショットキーバリアダイオード等が含んで構成される。半導体素子５の表面と裏面には、はんだ接合用電極（図示せず）が設けられ、はんだ６２を介してフレーム３と電気的に接続し、さらに、はんだ６１を介して配線パターン１１と電気的に接続する。上述したはんだ接合用金属膜は、ニッケルを含む材料で構成され、例えば、湿式めっき法や、スパッタもしくは蒸着などの気相堆積法で半導体素子５に形成することができる。
【００４１】
ケース２のベース板１への固定工程は、ケース２の底面をベース板１の表面上に配置し、例えば、シリコーン接着剤などで接着することにより行われる。ケース２をベース板１へ固定すると、絶縁基板１０、配線パターン１１、２つの半導体素子及びフレーム３のフレーム本体部３０を収容している収容領域Ｒ２がケース２によって取り囲まれる。
【００４２】
最後に、樹脂等の封止材を用いてケース２の収容領域Ｒ２内における上記基本構造及びフレーム３のフレーム本体部３０を被覆する、収容領域被覆部である樹脂被覆部７を形成する樹脂被覆工程を実行して、実施の形態１の半導体装置を完成する。
【００４３】
樹脂被覆工程によって、ケース２とベース板１に囲まれた収容領域Ｒ２の内部に封止材を注入して樹脂被覆部７を形成することにより、外部との絶縁性や耐湿性を確保する。封止材は、例えば２液混合系のエポキシ樹脂からなり、注入後に加熱する熱処理を実行することにより、硬化させて樹脂被覆部７を形成することができる。
【００４４】
実施の形態１の半導体装置の完成後、図示しないが、中央に貫通孔が設けられたバスバー等の外部端子にネジ４の上方（＋Ｚ方向）に露出したネジ部４１を通したのち、図示しないナットで固定することで、実施の形態１の半導体装置はフレーム３に電気的に接続された外部端子を介して外部のコンデンサモジュールや外部出力等に接続することができる。
【００４５】
（効果等）
実施の形態１の半導体装置におけるネジ４は、上方にネジ部４１、下方にヘッド部４２を有する態様で、ネジ部４１がフレーム貫通孔３２を貫通し、ベース板１と反対側に向けて＋Ｚ方向に突出する態様で設けられているため、ネジ部４１に外部端子の貫通孔を貫通させた後、ナットで締め付けるネジ止め処理により、ケース２外において外部端子とフレーム３との電気的接続を図ることができる。
【００４６】
この際、ネジ４に関し、ベース板１とフレーム３のフレーム露出部３１との間に介在されるのは、ヘッド部４２のみに抑えることができ、フレーム３の形成長、すなわち、半導体装置の配線長を短くすることができるため、実施の形態１の半導体装置のインダクタンスを最小限に抑えることができる効果を奏する。
【００４７】
以下、フレーム３の形成長を短くできる点について詳述する。フレーム３とネジ４を一体で形成することにより、外部端子の取付用のナット及び当該ナットの収容領域であるナットボックスをケース２内に設ける必要性をなくすことができ、フレーム露出部３１の形成高さを極力低く、ベース板１に近づけて設計することができる。
【００４８】
このため、フレーム３の形成長が短くなりインダクタンスを低減でき、また、ベース板１に発生する渦電流によるインダクタンスのキャンセル効果をより効果的に得ることができるようになり、実施の形態１の半導体装置のインダクタンスがさらに低減される。
【００４９】
さらに、実施の形態１の半導体装置は、ヘッド部４２は平面視して長方形を呈し、フレーム露出部３１のフレーム本体部３０から延在方向であるフレーム長方向（Ｘ方向）が短辺となり、上記フレーム長方向と直交するフレーム幅方向（Ｙ方向）が長辺となるように配置される、ヘッド部形状配置特徴を有している。
【００５０】
実施の形態１の半導体装置は上記ヘッド部形状配置特徴を有することにより、フレーム露出部３１のフレーム長方向の長さを可能な範囲で短く、フレーム露出部３１のフレーム幅方向の長さを可能な範囲で長く設定することにより、フレーム３全体の形成長を短くして、実施の形態１の半導体装置のインダクタンスのさらなる低減化を図ることができる。以下、この効果について詳述する。
【００５１】
ネジ４は上記ヘッド部形状配置特徴を有しているため、ヘッド部４２を平面視して覆うフレーム露出部３１のフレーム長方向の長さを極力短くすることができる。一方、外部リード用のフレーム３のフレーム露出部３１と外部電極として機能する外部端子との接触抵抗の低減を図るため、フレーム露出部３１はある程度の面積が必要になる。
【００５２】
しかしながら、半導体素子５から遠ざかる方向（＋Ｘ方向）にフレーム３のフレーム露出部３１を延ばすとインダクタンスが増加するため、フレーム幅方向（Ｙ方向）の長さを延ばす方が望ましい。
【００５３】
したがって、ヘッド部４２が長方形で、長辺をフレーム幅方向と平行なＹ方向となるように配置すると、インダクタンスを増加させることなく、外部端子とフレーム３との接触抵抗を低減することができる。
【００５４】
ヘッド部４２を回転させてネジ止めする半導体装置の場合、ネジ止め工具との噛み合わせを簡単にするために、正六角形などの平面形状のネジヘッド部が望ましいが、実施の形態１の半導体装置はヘッド部４２を回転させる必要がなく、ネジ止めの際にヘッド部４２が空転しないことさえ考慮すればよく、ネジ止め工具の取り扱い性を考慮する必要がなくなるため、平面視長方形のヘッド部４２を支障無く用いることができる。
【００５５】
加えて、フレーム露出部３１においてフレーム幅方向の長さを十分長くすることにより、ナットを用いたネジ止めによって外部電極として機能するバスバー等の外部端子とフレームとの間が電気的に接続される際、平面視して長方形状のヘッド部とナットとによって、比較的広い面積でフレーム露出部３１を挟むことができる。このため、実施の形態１の半導体装置は、ネジ止めの際の外部端子とフレーム露出部３１との間の接触抵抗の低減化を図りながら、高い振動特性を図ることができる。
【００５６】
さらに、実施の形態１では、ネジ４のヘッド部４２は、ヘッド部４２とベース板１との間にケース２の一部が樹脂性の絶縁領域として存在する態様で、ケース２のケース溝部Ｇ２内に埋め込まれている。
【００５７】
したがって、実施の形態１の半導体装置は、外部端子に接続され、強電部となるフレーム露出部３１とベース板１との間をケース２の一部である絶縁領域によって確実に絶縁することができる。
【００５８】
加えて、ネジ４のヘッド部４２はケース２のケース溝部Ｇ２内に埋め込まれるため、ネジ４のヘッド部４２はケース２にて安定性良く固定することができる。
【００５９】
さらに、実施の形態１の半導体装置は、ＳｉＣ等の炭素を主とする化合物を主要構成材料とする半導体素子５を用いることにより、半導体素子５の電流密度の向上を図ることができる。
【００６０】
ＳｉＣ等の炭素を主とする化合物を用いた半導体装置では、配線インダクタンスの影響で、電圧の発振が発生し易い特性を有するが、実施の形態１の半導体装置は、インダクタンスを極力小さくしているため、ＳｉＣ等の炭素を主とする化合物を用いた半導体装置をさらに高周波で動作させ、動作時の損失を低減することができる。以下、この点を詳述する。
【００６１】
ＳｉＣ等の炭素を主とする化合物半導体を主要構成材料とした半導体素子は、ユニポーラデバイスとして構成されることが多いため、スイッチング損失を抑えることができ、高周波で使用することに適している。
【００６２】
高周波で使用する際、スイッチング損失をさらに低減するためには、スイッチング時の電流変化であるｄｉ／ｄｔを極力高くした方がよいが、インダクタンスが大きいと発振する課題がある。実施の形態１の半導体装置は、上述したようにインダクタンスを極力小さくした半導体装置であるため、ｄｉ／ｄｔを上げて半導体装置を動作させることができ、動作時の損失を低減することができる。
【００６３】
＜実施の形態２＞
（構成）
図３は、この発明の実施の形態２である半導体装置の断面構造を模式的に示す断面図である。図３にはＸＹＺ直交座標系が示されている。
【００６４】
なお、実施の形態２の半導体装置の平面構造は、図２で示した実施の形態１の構造と同様であり、図２のＡ−Ａ断面が図３となる。
【００６５】
以下、図３を参照して、実施の形態１の半導体装置と異なる点を中心に説明する。なお、図１及び図２で示した実施の形態１と同一構成部分は同一符号を付して説明を適宜省略する。
【００６６】
図３に示すように、実施の形態２の半導体装置は、ネジ４のヘッド部４２は表面（−Ｚ方側の面）が露出する態様でケース２Ｂのケース貫通部Ｋ２内で被覆され、さらに、ネジ４のヘッド部４２の表面は、収容領域被覆部である樹脂被覆部７Ｂによって被覆されていることを特徴としている。
【００６７】
すなわち、実施の形態２の半導体装置は、図３に示すように、ネジ４のヘッド部４２は、側面が樹脂性のケース２Ｂに包囲されており、−Ｚ方向側の表面上はケース２Ｂによって覆われておらず、樹脂被覆部７Ｂによって被覆されている。したがって、ネジ４はヘッド部４２の表面の下方に設けられる樹脂被覆部７Ｂによって支持される。なお、ケース２Ｂの構成材料は実施の形態１のケース２と同様であり、樹脂被覆部７Ｂの構成材料は実施の形態１の樹脂被覆部７と同様である。
【００６８】
（製造方法）
図４〜図８は、実施の形態２の半導体装置の製造方法を示す断面図である。図４〜図８にはそれぞれＸＹＺ直交座標系が示されている。以下、図４〜図８を参照して、実施の形態２の半導体装置の製造方法について説明する。
【００６９】
まず、実施の形態１と同様、ベース板１上において、絶縁基板１０、配線パターン１１及び２つの半導体素子５を一体化して基本構造を得る準備工程を実行する。
【００７０】
次に、図示しない金型にフレーム３を固定し、ケース形成用の樹脂を上記金型に注入することにより、図４に示すように、フレーム３と一体形成したケース２Ｂの製造工程を実行する。なお、上記準備工程とケース２Ｂの製造工程の製造順序は逆でも良い。
【００７１】
図４に示すように、ケース２Ｂにはネジ４を挿入するケース貫通部Ｋ２が設けられており、ケース貫通部Ｋ２はフレーム貫通孔３２と繋がっている。
【００７２】
次に、図５に示すように、ネジ４のネジ部４１をケース貫通部Ｋ２側から挿入し、フレーム貫通孔３２を貫通させることにより、ネジ４のヘッド部４２をケース２Ｂのケース貫通部Ｋ２に収容し、かつ、フレーム貫通孔３２からネジ部４１を上方に露出させ、露出したヘッド部４２をナット１４で締結するネジ止め処理を行い、ケース２Ｂとネジ４との仮固定工程を実行する。
【００７３】
その後、図６に示すように、実施の形態１と同様、ケース２Ｂのベース板１への固定工程を実行し、さらに、半導体素子５とフレーム３とのはんだ６２による接合工程を実行する。
【００７４】
ベース板１に固定後のケース２Ｂは、絶縁基板１０、配線パターン１１、及び２つの半導体素子からなる上記基本構造とフレーム３のフレーム本体部３０とを収容している収容領域Ｒ２を取り囲む。
【００７５】
続いて、図７に示すように、樹脂等の封止材を用いてケース２Ｂの収容領域Ｒ２内における上記基本構造及びフレーム本体部３０を被覆し、かつ、ヘッド部４２の−Ｚ方向側の表面を被覆するように樹脂被覆部７Ｂを形成する樹脂被覆工程を実行する。
【００７６】
最後に、熱処理などにより、樹脂被覆部７Ｂの封止材を硬化させた後、図８に示すように、ナット１４をネジ４のネジ部４１から外し、上記仮固定の開放工程を実行して、実施の形態２の半導体装置を完成する。
【００７７】
（効果等）
実施の形態２の半導体装置におけるネジ４は、実施の形態１と同様、ネジ部４１がフレーム貫通孔３２を貫通し、ベース板１と反対側に向けて＋Ｚ方向に突出する態様で設けられているため、実施の形態２の半導体装置のインダクタンスを最小限に抑えることができる効果を奏する。
【００７８】
さらに、実施の形態２の半導体装置のネジ４は、実施の形態１と同様、上記ヘッド部形状配置特徴を有しているため、インダクタンスのさらなる低減化を図り、かつ、ネジ止めの際の外部端子とフレーム露出部３１との間の接触抵抗の低減化を図りながら、高い振動特性を図ることができる。
【００７９】
加えて、実施の形態２では、ネジ４のヘッド部４２は表面が露出する態様でケース２Ｂによって被覆され、さらに、ネジ４のヘッド部４２の表面は、収容領域被覆部である樹脂被覆部７Ｂによって被覆されている。
【００８０】
したがって、実施の形態２の半導体装置は、外部端子に接続され、強電部となるフレーム露出部３１とベース板１との間を、ヘッド部４２の表面を被覆する樹脂被覆部７Ｂの一部である樹脂性の絶縁領域によって確実に絶縁することができる。
【００８１】
さらに、実施の形態２の半導体装置は、実施の形態１と同様、ＳｉＣ等の炭素を主とする化合物を主要構成材料とする半導体素子５を用いることにより、半導体素子５の電流密度の向上を図ることができる。
【００８２】
加えて、実施の形態２の半導体装置の製造方法によれば、ネジ４をケース２Ｂの形成時に一体化する必要がないため、比較的簡単な方法でケース２Ｂを形成することができ、製造コストを抑えることができる効果を奏する。
【００８３】
加えて、図５〜図８で示した一連の工程である、ケース２Ｂとネジ４との仮固定工程、半導体素子５とフレーム３との接合工程、樹脂被覆工程及び上記仮固定の開放工程による比較的簡単な方法を経て、ヘッド部４２の表面をさらに被覆した収容領域被覆部である樹脂被覆部７Ｂを形成することにより、ネジ４とベース板１との絶縁性を確保することができる。
【００８４】
そして、ネジ４のヘッド部４２の表面下に形成される樹脂被覆部７Ｂの存在により、ネジ４がケース２Ｂに安定性良く固定することができる。
【００８５】
＜実施の形態３＞
（構成）
図９は、この発明の実施の形態３である半導体装置の断面構造を模式的に示す断面図である。図９にはＸＹＺ直交座標系が示されている。
【００８６】
なお、実施の形態３の半導体装置の平面構造は、図２で示した実施の形態１の構造と同様であり、図２のＡ−Ａ断面が図９となる。
【００８７】
図９に示すように、ベース板１上に絶縁基板１０が設けられ、絶縁基板１０上に第１の回路パターンである配線パターン１１に加え、第２の回路パターンである配線パターン１２が設けられる。
【００８８】
配線パターン１１上に２つの半導体素子５が互いに独立して設けられ、２つの半導体素子５はそれぞれはんだ６１によって配線パターン１１に接合される結果、２つの半導体素子５と配線パターン１１とは電気的に接続される。
【００８９】
そして、２つの半導体素子５上にフレーム３Ｃが設けられ、２つの半導体素子５はそれぞれはんだ６２によってフレーム３Ｃのフレーム本体部３０に接合される結果、フレーム３Ｃと２つの半導体素子５とは互いに電気的に接続される。
【００９０】
樹脂ケースであるケース２Ｃは、収容領域Ｒ２Ｃを取り囲むようにベース板１上に設けられる。この収容領域Ｒ２Ｃ内に絶縁基板１０、２つの配線パターン１１，１２、２つの半導体素子５、フレーム３Ｃのフレーム本体部３０及び後述するフレーム３Ｃのフレーム曲げ部３３が収容される。
【００９１】
フレーム３Ｃは収容領域Ｒ２Ｃ内に設けられる上述したフレーム本体部３０と、フレーム本体部３０から＋Ｘ方向に延在して収容領域Ｒ２Ｃ外に露出してケース２Ｃのフレーム載置台２ｔ上に設けられるフレーム露出部３１とを含んでいる。フレーム３Ｃは、フレーム露出部３１からさらに延在し、下方に屈曲されケース２Ｃの貫通孔２ｈを貫通した後、さらに屈曲されてフレーム露出部３１の延在方向と反対方向である−Ｘ方向に延びるフレーム曲げ部３３をさらに含んでいる。フレーム露出部３１はフレーム貫通孔３２を有している。
【００９２】
フレーム３Ｃのフレーム曲げ部３３は、はんだ６３によって配線パターン１２に接合される結果、フレーム曲げ部３３と配線パターン１２とは電気的に接続される。
【００９３】
収容領域Ｒ２Ｃ内において、絶縁基板１０、２つの配線パターン１１，１２、２つの半導体素子５、はんだ６１〜６３、フレーム３Ｃのフレーム本体部３０及びフレーム曲げ部３３を樹脂等の封止材により被覆して樹脂被覆部７Ｃが設けられる。
【００９４】
さらに、収容領域Ｒ２Ｃ外のケース２Ｃのフレーム載置台２ｔに、上方に位置するネジ部４１及び下方に位置するヘッド部４２を有するネジ４が設けられる。ネジ４は、ヘッド部４２がケース２Ｃのフレーム載置台２ｔに設けられたケース貫通部Ｋ２内に収容され、ケース２Ｃによって側面が被覆される。
【００９５】
一方、ネジ部４１はフレーム載置台２ｔによって被覆されることなく露出している。すなわち、ネジ部４１はヘッド部４２の上方に配置されるフレーム露出部３１のフレーム貫通孔３２を貫通し、ベース板１と反対側の上方（＋Ｚ方向）に向けて突出して露出する態様で設けられる。
【００９６】
そして、ネジ４は、ヘッド部４２の表面の下方に形成されるフレーム曲げ部３３によって支持されている。なお、フレーム３Ｃの構成材料は実施の形態１のフレーム３と同様であり、ケース２Ｃの構成材料は実施の形態１のケース２と同様であり、樹脂被覆部７Ｃの構成材料は実施の形態１の樹脂被覆部７と同様である。
【００９７】
（製造方法）
図１０〜図１２は、実施の形態３の半導体装置の製造方法を示す断面図である。図１０〜図１２にはそれぞれＸＹＺ直交座標系が示されている。以下、図１０〜図１２を参照して、実施の形態３の半導体装置の製造方法について説明する。
【００９８】
まず、実施の形態１と同様、ベース板１上において、絶縁基板１０、配線パターン１１及び２つの半導体素子５を一体化して基本構造を得る準備工程を実行する。なお、準備工程において、２つの半導体素子５と配線パターン１１とがはんだ６１を介して接合される。
【００９９】
次に、図示しない金型にフレーム３Ｃを固定し、ケース形成用の樹脂を上記金型に注入することにより、図１０に示すように、フレーム３Ｃと一体形成したケース２Ｃの製造工程を実行する。なお、上記準備工程とケース２Ｃの製造工程の製造順序は逆でも良い。
【０１００】
図１０に示すように、ケース２Ｃにはネジ４のネジ部４１を挿入し、かつヘッド部４２を収容するためのケース貫通部Ｋ２が設けられており、ケース貫通部Ｋ２はフレーム貫通孔３２と繋がっている。さらに、フレーム曲げ部３３がケース２Ｃに別途設けられた貫通孔２ｈを介して下方（−Ｚ方向）に突出している。すなわち、ケース２Ｃの製造工程完了直後において、フレーム曲げ部３３はケース２Ｃの貫通孔２ｈに略垂直に延びた状態となっている。
【０１０１】
次に、図１１に示すように、ネジ４のネジ部４１をケース貫通部Ｋ２側から挿入してフレーム貫通孔３２を貫通させることにより、ネジ４のヘッド部４２をケース２Ｃのケース貫通部Ｋ２に収容し、かつ、フレーム貫通孔３２からネジ部４１を上方に露出させて、ケース２Ｃとネジ４との仮配置工程を実行する。
【０１０２】
その後、図１２に示すように、フレーム曲げ部３３を折り曲げ、フレーム曲げ部３３の先端領域がヘッド部４２の表面下になるようにして、先端領域が−Ｘ方向に延びるフレーム曲げ部３３の支持によってネジ４をケース２Ｃに固定するネジ固定処理を実行する。
【０１０３】
そして、実施の形態１と同様、ケース２Ｃのベース板１への固定工程を実行し、さらに、半導体素子５とフレーム３Ｃとのはんだ６２による接合工程、及びフレーム曲げ部３３と配線パターン１２とのはんだ６３による接合工程を実行する。
【０１０４】
最後に、樹脂等の封止材を用いてケース２Ｃの収容領域Ｒ２Ｃ内における上記基本構造並びにフレーム３のフレーム露出部３１及びフレーム曲げ部３３を被覆する樹脂被覆部７Ｃを形成する樹脂被覆工程を実行して、図９に示す構造の半導体装置を完成する。
【０１０５】
（効果等）
実施の形態３の半導体装置におけるネジ４は、実施の形態１及び実施の形態２と同様、ネジ部４１がフレーム貫通孔３２を貫通し、ベース板１と反対側に向けて＋Ｚ方向に突出する態様で設けられているため、実施の形態３の半導体装置のインダクタンスを最小限に抑えることができる効果を奏する。
【０１０６】
加えて、実施の形態３の半導体装置におけるネジ４は、ネジ部４１がフレーム貫通孔３２を貫通し、ベース板１と反対側に向けて突出する態様で設けられているため、ネジ部４１に外部端子の貫通孔を貫通させた後、ナットで締め付けてネジ止めすることにより、ケース２Ｃ外において外部端子とフレーム３Ｃとの電気的接続を図ることができる。
【０１０７】
この際、ネジ４及びフレーム３Ｃに関し、ベース板１とフレーム３Ｃのフレーム露出部３１との間に介在されるのは、ネジ４のヘッド部４２とフレーム曲げ部３３のみに抑えることができるため、フレーム３Ｃの形成長、すなわち、半導体装置の配線長を短くすることができる。その結果、実施の形態３の半導体装置のインダクタンスを最小限に抑えることができる効果を奏する。
【０１０８】
加えて、ネジ４はヘッド部４２の表面の下方に設けられるフレーム曲げ部３３によって支持されるため、ナットを用いず、かつ、ネジ４をケース２Ｃの製造工程時に一体化することなく、比較的簡易な方法でケース２Ｃにネジ４に取り付けることができる。
【０１０９】
さらに、フレーム曲げ部３３が第２の回路パターンである配線パターン１２にはんだ６３によって接続されることにより、フレームで発生した熱を配線パターン１２及び絶縁基板１０を介してベース板１に放熱することができるため、実施の形態３の半導体装置の高電流密度化及び高耐熱化を図ることができる。
【０１１０】
例えば、フレーム３Ｃと外部端子との接触抵抗で発生した熱を、ベース板１に逃がすことができ、フレーム３Ｃの発熱が半導体素子５へ伝わることを防止することができ、より高温で半導体装置を動作させることができる。
【０１１１】
加えて、実施の形態３の半導体装置のネジ４は、実施の形態１及び実施の形態２と同様、上記ヘッド部形状配置特徴を有しているため、インダクタンスのさらなる低減化を図り、かつ、ネジ止めの際の外部端子とフレーム露出部３１との間の接触抵抗の低減化を図りながら、高い振動特性を図ることができる。
【０１１２】
さらに、実施の形態３の半導体装置は、実施の形態１及び実施の形態２と同様、ＳｉＣ等の炭素を主とする化合物を主要構成材料とする半導体素子５を用いることにより、半導体素子５の電流密度の向上を図ることができる。
【０１１３】
＜自動車への応用＞
図１３は実施の形態１〜実施の形態３の半導体装置を用いた自動車の応用例を模式的に示す説明図である。
【０１１４】
同図に示すように、自動車２０は、動力用モータ２１と、動力用モータ２１用の電源２２とを主要構成要素として含んでいる。なお、自動車２０として、電気自動車は勿論、ハイブリッド自動車や燃料電池車など、動力用モータ２１を駆動することで走行する挙動を少なくとも有する全ての自動車を対象としている。
【０１１５】
電源２２はインバータ回路装置２３を内部に有し、このインバータ回路装置２３として、実施の形態１〜実施の形態３の半導体装置のうち、いずれかの半導体装置と等価な構成の半導体装置を採用している。
【０１１６】
上述した自動車２０は、動力用モータ２１に電力を供給する電源２２内におけるインバータ回路装置２３を高周波数で動作させたときの損失を低減することができる。このため、可聴周波数を超えて半導体素子５を動作させることができるため、自動車２０の静音性を向上させることができる効果を奏する。
【０１１７】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１１８】
１  ベース板、２，２Ｂ，２Ｃ  ケース、３，３Ｃ  フレーム、４  ネジ、５  半導体素子、７，７Ｂ，７Ｃ  樹脂被覆部、１０  絶縁基板、１１，１２  配線パターン、３０  フレーム本体部、３１  フレーム露出部、３３  フレーム曲げ部、４１  ネジ部、４２  ヘッド部。
【図１】
2019087327.tif 000003
【図２】
2019087327.tif 000004
【図３】
2019087327.tif 000005
【図４】
2019087327.tif 000006
【図５】
2019087327.tif 000007
【図６】
2019087327.tif 000008
【図７】
2019087327.tif 000009
【図８】
2019087327.tif 000010
【図９】
2019087327.tif 000011
【図１０】
2019087327.tif 000012
【図１１】
2019087327.tif 000013
【図１２】
2019087327.tif 000014
【図１３】
2019087327.tif 000015
【国際調査報告】
2019087327.tif 000016
2019087327.tif 000017